(57)【要約】本発明は、遠隔装置（１０、１１）を保持する遠隔装置の保有者のプレゼンスに関して通知する方法であって、遠隔装置の保有者（１）がフェムトセル（２、２０）の通話エリアの下にいつ入ったか、またはフェムトセル（２、２０）の通話エリアをいつ離れたかを検出することを特徴とする方法に関する。
2013546279.tif 000002
【特許請求の範囲】
【請求項１】
遠隔装置（１０、１１）を保持する遠隔装置の保有者のプレゼンスに関して通知する方法であって、遠隔装置の保有者（１）がフェムトセル（２、２０）の通話エリアの下にいつ入ったか、またはフェムトセル（２、２０）の通話エリアをいつ離れたかを検出することを特徴とする方法。
【請求項２】
前記フェムトセル（２、２０）を識別することが可能なデータを備えるメッセージを遠隔サーバ（３）に送信することを備えることを特徴とする、請求項１に記載の方法。
【請求項３】
前記遠隔装置の保有者の位置を決定することを備えることを特徴とする、請求項２に記載の方法。
【請求項４】
方法が、遠隔装置の保有者（１）の位置に関するデータを、前記遠隔サーバ（３）にあらかじめ格納された所定のリストメンバに送信することを備え、前記位置データは前記遠隔サーバ（３）に格納されることを特徴とする、請求項３に記載の方法。
【請求項５】
遠隔サーバ（３）が、遠隔装置の保有者（１）の位置に関するデータを更新し、格納することを特徴とする、請求項３に記載の方法。
【請求項６】
遠隔装置の保有者の位置に関するデータを専用ウェブサイト上で、または前記遠隔サーバ（３）に接続されたＳＣＷＳ上で直接調べることを備えることを特徴とする、請求項３に記載の方法。
【請求項７】
第２の遠隔サーバの販売促進データを遠隔装置の保有者に送信することを備えることを特徴とする、請求項１から３のいずれか一項に記載の方法。
【請求項８】
第２の遠隔サーバにより決定されたデータに基づき、前記遠隔装置の保有者のプロファイリングを処理することを備えることを特徴とする、請求項７に記載の方法。
【請求項９】
携帯端末を遠隔装置として使用することを備えることを特徴とする、請求項１から８のいずれか一項に記載の方法。
【請求項１０】
ＵＩＣＣを遠隔装置として使用することを備えることを特徴とする、請求項１から９のいずれか一項に記載の方法。
【請求項１１】
無線のサーバを遠隔装置として使用することを備えることを特徴とする、請求項１から１０のいずれか一項に記載の方法。
【発明の詳細な説明】
【技術分野】
【０００１】
本発明は、一般に位置の特定に関し、より詳細には遠隔装置の保有者のプレゼンスに関して通知する方法に関する。
【背景技術】
【０００２】
移動ネットワーク（Ｍｏｂｉｌｅ  Ｎｅｔｗｏｒｋ、ＭＮＯ）が、マクロセルＩＤを使用して、位置情報サービス（Ｌｏｃａｔｉｏｎ  Ｂａｓｅｄ  Ｓｅｒｖｉｃｅ、ＬＢＳ）を提案する場合がある。位置情報サービスは、移動装置の地理的位置を使用する移動ネットワークを通して、移動装置でアクセス可能な情報および娯楽のサービスである。このようなサービスのおかげで、移動装置の時間位置を決定して、対象となるすぐ近くの地点にエンドユーザを接続する、交通または天候などの現在の状況についてエンドユーザに知らせる、または無線装置を介してルーティングおよびトラッキングの情報を提供することが可能である。
【０００３】
それにもかかわらず、セルＩＤベースの三角測量を使用することで、あまり正確ではない。ユーザは、おおよその精度でしか、すなわち３キロメートルから２００メートルまでの精度でしか通知されない。
【０００４】
位置測定のための代わりの技術的解決策がＧＰＳの使用である。しかしながら、すべての携帯端末がＧＰＳを使用可能であるわけではなく、このため、たとえばトラッキングサービス、マーケティングサービスなどのＧＰＳサービスをユーザが使用できない。それゆえ、当技術分野では、このようなサービスに正確な精度を提供する解決策が必要である。
【先行技術文献】
【非特許文献】
【０００５】
【非特許文献１】ＵＳＡＴ仕様３ＧＰＰ  ＴＳ  ３１．１１１リリース９
【発明の概要】
【発明が解決しようとする課題】
【０００６】
よりよい精度で遠隔装置の保有者の位置に関する情報を提供することが本発明の目的である。
【課題を解決するための手段】
【０００７】
本発明は、遠隔装置を保持する遠隔装置の保有者のプレゼンスに関して通知する方法であって、遠隔装置の保有者がフェムトセルの通話エリアの下にいつ入ったか、またはフェムトセルの通話エリアをいつ離れたかを検出することを特徴とする方法を提供する。
【０００８】
本発明の他の様態によれば、
−方法は前記フェムトセルを識別することが可能なデータを備えるメッセージを遠隔サーバに送信することを備えてもよく、
−方法は、前記遠隔装置の保有者の位置を決定することを備えてもよく、
−方法は、遠隔装置の保有者の位置に関するデータを、前記遠隔サーバにあらかじめ格納された所定のリストメンバに送信することを備えてもよく、前記位置データは前記遠隔サーバに格納され、
−遠隔サーバは、遠隔装置の保有者の位置に関するデータを更新してもよく、このデータを格納してもよく、
−方法は、遠隔装置の保有者の位置に関するデータを専用ウェブサイト上で、または前記遠隔サーバに接続されたＳＣＷＳ上で直接調べることを備えてもよく、
−方法は、第２の遠隔サーバの販売促進データを遠隔装置の保有者に送信することを備えてもよく、
−方法は、第２の遠隔サーバにより決定されたデータに基づき、前記遠隔装置の保有者のプロファイリングを処理することを備えてもよく、
−方法は、遠隔装置として携帯端末を使用することを備えてもよく、
−方法は、遠隔装置としてＵＩＣＣを使用することを備えてもよく、
−方法は、遠隔装置として無線のサーバを使用することを備えてもよい。
【０００９】
本発明のおかげで、有利には、フェムトセルを装備した、識別された場所での、家族の一員などの人のプレゼンスを、セルＩＤよりもよい細分性で、より正確に調べることが可能である。
【００１０】
本発明は、有利には、ターゲット広告を提供する。
【００１１】
以下で説明される添付図面と共に、本発明の例として示される、以下の詳細説明を注意深く考察すると、本発明のさまざまな様態、特徴、および利点が当業者に、より完全に明らかになるであろう。
【図面の簡単な説明】
【００１２】
【図１】第１の実施形態による本発明のアーキテクチャの概略図を図式的に示す。
【図２】第２の実施形態による本発明のアーキテクチャの概略図を図式的に示す。
【発明を実施するための形態】
【００１３】
本発明は、本明細書で提供される詳細な説明に従って理解されることができる。
【００１４】
携帯端末１０などの遠隔装置１０を有するユーザ１が図１に示されている。遠隔装置１０はＵＩＣＣ１１を備え、フェムトセル２とローカルに接続されるように適合される。
【００１５】
フェムトセルが、広帯域インターネット接続を介して接続を通信事業者に戻してルーティングするように適合されていることはよく知られている。フェムトセルは、たとえばユーザの住居またはオフィスビルの内部に設置された場合に移動電話の受信状態を改善する無線アクセスポイントであり、４または５つの携帯端末まで同時にサービス提供するように適合される。フェムトセルは、典型的には１０メートルの通話エリアを有する。
【００１６】
携帯端末が、規定されたＵＳＩＭアプリケーションツールキットのようなＣＳＧセル選択イベントにより制御されるフェムトセルに入る、フェムトセルから出る、またはフェムトセルにキャンプオンするときに、ＵＩＣＣアプリケーションが通知される。
【００１７】
ＵＳＡＴアプリケーションが、このＣＳＧセル選択イベントに登録することができる。次いで、携帯端末がＣＳＧセルを離れる、ＣＳＧセルに入る、またはＣＳＧセルにキャンプオンするたびに、このことについて通知するイベントがＵＩＣＣに送信される。このイベントのおかげで、エンドユーザがフェムトセルの通話エリアの下に入ったとき、ＵＩＣＣはＵＳＩＭツールキットイベント「ＣＳＧセル選択イベント」により通知される。フェムトセルを装備した住居で開始された携帯端末呼が、携帯端末から始まり、フェムトセルに送信され、フェムトセルから広帯域接続を介してインターネットに至り、携帯電話事業者のコアネットワーク上で中継され、呼び出された相手の携帯端末に達する。
【００１８】
携帯端末１０はフェムトセル対応携帯端末であり、ＣＳＧセルＵＳＡＴ機能を実装する。
【００１９】
第１の実施形態では、ユーザ１または遠隔装置の保有者１は、遠隔装置の保有者１の位置情報を提供するサービスなどのサービスを利用する。サービスを利用するために、ユーザ１はまず、たとえば自分の電話番号およびパスワードを使って専用ウェブサイト上でアカウントを作成し、次いで、確認のために自分の携帯端末１０に自分のＰＩＮコードを入力する。無線の（Ｏｖｅｒ−Ｔｈｅ−Ａｉｒ、ＯＴＡ）サーバ３がＳＭＳを送信して、対応するＵＩＣＣアプレットを活動化させる。
【００２０】
遠隔装置の保有者１はまた、自分がどこに位置するかを知ることを認められた人々に関する情報を与える。そうするために、ユーザ１は、許可された人の電話番号を備える通知メンバリストを専用ウェブサイトで追加する。ＯＴＡサーバ３は、確認のために、関係する人にＳＭＳを送信する。通知メンバリストは設定可能であることがよく理解されるであろう。いつでも、任意のメンバがサービスの利用を取り消すことができる、またはユーザは通知メンバリストを修正してもよい。
【００２１】
ユーザ１がフェムトセル２の通話エリアの下に入ったとき、ＵＩＣＣ１１はイベント「ＣＳＧセル選択イベント」を検出する。ＵＩＣＣ１１は、暗号化されたＳＭＳをＯＴＡサーバ３に自動的に送信する。ＵＩＣＣ１１により送信されたＳＭＳは、フェムトセル２を識別するためにＭＳＩＳＤＮ、およびフェムトセル２の名称を備える。
【００２２】
送信されるメッセージは、ＳＩＰのようなＩＰベースのメッセージとすることができることがよく理解されよう。
【００２３】
ＯＴＡサーバ３は、ユーザ１の状態に関するデータベースを備える。このようなＳＭＳを受信したとき、ＯＴＡサーバはデータベース内のユーザ１の状態を更新することができる。
【００２４】
ＯＴＡサーバ３は、記載された人にＳＭＳによりプレゼンス通知を送信する。ＳＭＳは、ユーザ１のＭＳＩＳＤＮ、およびこの場合フェムトセル２である、関係するフェムトセルの名称を備える。この方法は、有利にはリアルタイムであり、自動的である。ユーザがフェムトセル２にカバーされたエリアを離れたとき、同じくイベントが検出され、ＳＭＳがＯＴＡサーバ３に送信される。状態は更新される。
【００２５】
家族の住居内にフェムトセルが存在するとき、両親が、たとえば、自分たちの子供が家にいるか、またはフェムトセルの通話エリアの下にいないかどうかを知ることができる。
【００２６】
送られるＳＭＳの数を制限することができる。所定の時間の間だけ、たとえば、１時間当たり１つのＳＭＳだけ、または異なるフェムトセルにより検出されたときだけなどに、プレゼンス通知が送信されることができる。
【００２７】
他の実施形態では、この送信は自動的ではない。このとき、プレゼンス情報は、専用ウェブサイト上で、または記載された人のだれかが利用可能である場合には、記載された人のうちのだれのものでもＵＩＣＣ上に埋め込まれ、かつＯＴＡサーバ３に接続されたスマート・カード・ウェブ・サーバ（ＳＣＷＳ）上で直接調べることができる。任意の記載された人のＵＩＣＣ上のＳＣＷＳは、ＯＴＡサーバ３によりユーザ１の状態に従って無線で更新される。たとえば、家族全員がこのサービスを利用している場合、および家族が家にフェムトセルを有する場合、家族の１人が家族の一員の、家でのプレゼンスを調べることが可能である。その上、家族の１人がフェムトセルの通話エリアの下にいないとき、専用ウェブサイト上でこの人の最後のプレゼンス情報が調べられることができる。
【００２８】
このような方法は、有利には、マクロセルＩＤを使用するＭＮＯの位置サービスに対する改善および補完的な解決策を提案することができる。上述のように、セルＩＤベースの三角測量は、田園地域では３キロメートルより大きな精度を、密集した市街地では最大で２００メートルの精度を有する。ＭＮＯ位置サービスは、ユーザ１に関するさらに多くの情報をＯＴＡサーバ３に要求してもよい。利用可能であるとき、ＭＮＯ位置サービスは、ユーザ１に関してＯＴＡサーバ３から得た正確な情報を、記載された人に提供する。
【００２９】
これらの実施形態のおかげで、信頼できない場合があるＩＰアドレスは使用されず、ＧＰＳは使用されない。遠隔装置は、ＧＰＳが非活動化されることができるＧＰＳ対応とすることができる、またはＧＰＳを有しなくてもよい。ＵＩＣＣベースの解決策は、ＧＰＳ情報を取り出すために拡張されることができる。セルＩＤ三角測量と比較して、精度が改善される。さらに、サービス利用者が通話エリアの下にあるがフェムトセルに接続されていないとき、位置情報がコアネットワークに送信されないので、ＵＩＣＣは、位置情報を提供することができる唯一の構成要素である。
【００３０】
他の実施形態では、ユーザ１は、マーケティングサービスなどのサービスを利用する。サービスを利用するために、ユーザ１はまず販売促進メッセージを受信することに同意する。ユーザ１は個人情報を与えるよう要求されることがあり、移動体通信事業者（Ｍｏｂｉｌｅ  Ｎｅｔｗｏｒｋ  Ｏｐｅｒａｔｏｒ、ＭＮＯ）がすでにこれらの情報を有している場合、このステップは、スキップされることができる。
【００３１】
対象とされるユーザのプロファイルを決定するために、コーヒーショップ４などの広告主が専用ウェブサイトを介してユーザ１の事業者と交信し、たとえば提供の性質、対象とされる顧客などの要件を作成する。プロファイルメッセージまたは提供は、たとえば「無料のコーヒー」であり、対象とされる顧客は、たとえば「１週間に４回以上、通話エリアの下にいるだれでも」または「だれでも」である。
【００３２】
ユーザは、指定された広告主からのメッセージだけを受信するためにサービスを利用することができる、またはどんなプロファイリングもなしに任意の広告主から任意のメッセージを受信してもよいことがよく理解されよう。
【００３３】
この実施形態では、フェムトセル２０は、コーヒーショップなどの広告主の販売地点の１つに配置される。ユーザ１がフェムトセル２０の通話エリアの下に入ったとき、ＵＩＣＣ１１０はイベント「ＣＳＧセル選択イベント」を検出する。ＵＩＣＣ１１０は、暗号化されたＳＭＳを事業者３０に自動的に送信する。ＵＩＣＣ１１０により送信されたＳＭＳは、フェムトセル２０を、すなわち広告主を識別するためにＭＳＩＳＤＮ、およびフェムトセル２０の名称を備える。
【００３４】
事業者３０は、ユーザ１の状態に関するデータベースを備える。このようなＳＭＳを受信したとき、事業者３０はユーザ１のデータベースの状態を更新することができ、プロファイリングを実行する。広告主により規定される要件をユーザ１が満たす場合、事業者３０はＳＭＳによりマーケティング通知をユーザ１に送信する。マーケティング通知は販売促進のＳＭＳである。このマーケティング通知を受信したとき、ユーザ１は、販売促進を提供する小売店に非常に近くにおり、小売店の中に入るまたは入らないことを非常に迅速に決定することができる。ユーザは、販売地点が自分の近くにあるときに、販売地点を長い間探す必要がない。
【００３５】
この方法のおかげで、事業者が利用者に販売促進メッセージを送信するのは、登録された利用者が、フェムトセルの通話エリアの下に入り、かつ広告主により規定された要件を満たすときだけである。ＵＩＣＣは、小売店のすぐ近くを歩いている人の識別情報を認識している唯一の構成要素である。ＵＩＣＣは、利用者がフェムトセルの通話エリアの下にいるときに事業者が通知されることができるようにし、この情報のおかげで、事業者は、利用者の位置に基づき販売促進メッセージを利用者に送信することができる。
【００３６】
この方法は完全なエンド・ツー・エンドの解決策である。この方法は、３ＧＰＰ規格で規定された機構に基づいているので、事業者の現在のコアネットワークを実質的に何も修正することなく事業者により容易に展開されることができる。この方法により、解決策があらゆるフェムトセルに関して任意の携帯端末で作動するとき、事業者はあらゆるエンドユーザに到達することができるようになる。この解決策は、任意のネットワークに関してフェムトセル製造業者とは無関係である。
【００３７】
これらの実施形態すべてについて、携帯端末１０およびＵＩＣＣ１１はＲｅｌ−９＋ＵＳＡＴ機能を実装する。より詳細には、携帯端末およびＵＩＣＣは、ＵＳＡＴ仕様３ＧＰＰ  ＴＳ  ３１．１１１リリース９に記載されるように、イベント「ＣＳＧセル選択」を実装し、「周囲のＣＳＧセルの発見（ｄｉｓｃｏｖｅｒｙ  ｏｆ  ｓｕｒｒｏｕｎｄｉｎｇ  ＣＳＧ  ｃｅｌｌｓ）」を伴うローカル情報コマンドを提供する。ユーザ１だけが自分の携帯端末および自分のＵＩＣＣをアップグレードする必要がある。たとえば、通知メンバリストの一員は、自分たちの携帯端末をアップグレードする必要がなく、自分たち自身の従来型の携帯端末を保有することができる。
【００３８】
他の実施形態によれば、図２に示されるように、フェムトセル２、２０は、サービスの課金を容易にするＵＩＣＣを備える。そうするために、ネットワークからおよび利用者のＵＩＣＣからの相互認証が存在する。ＵＩＣＣと事業者の既存のＨＬＲ／ＡＫＡの間にＥＡＰ−ＡＫＡ対話が生成される。ネットワークはフェムトセル２、２０の利用者を認証し、ＵＩＣＣはネットワークを認証する。利用者がサービスを使用するよう許可された場合、フェムトセル２、２０は事業者のコアネットワークにアクセスすることができる。
【００３９】
ＵＩＣＣにより、事業者は何も修正することなくフェムトセルのサービスの課金を事業者の既存の課金システムに一体化することが可能になる。課金はＵＩＣＣ内部に格納されたＩＭＳＩに基づき、あらゆる利用者に対して固有のものである。このとき、このサービスの課金は、フェムトセル内でＵＩＣＣがサービスの利用者を認証するおかげで実現される。
【図１】
2013546279.tif 000003
【図２】
2013546279.tif 000004
【国際調査報告】
2013546279.tif 000005
2013546279.tif 000006
2013546279.tif 000007